(57)【要約】【課題】簡易な構造でありながら、水滴を洗面ボウルやシンクで確実に受けることができる手乾燥装置を提供すること。【解決手段】電動送風機１０が収容された装置本体２と、この装置本体２に基端が接続された通風部３と、この通風部３の先端に接続された噴出部４とを有する手乾燥装置１であって、前記噴出部４に、間隔Ｇを置いて分岐させた第一噴出ノズル１８と第二噴出ノズル２０を設け、これらの噴出ノズル１８，２０が、洗面台Ｓ等のほぼ中央の水栓Ｔを左右から挟むように、前記噴出部４を前記洗面台Ｓ等に設置可能としたことで、前記第一噴出ノズル１８の第一噴出口１７及び前記第二噴出ノズル２０の第二噴出口１９から噴出された気流Ｆが吹き飛ばした水滴を、前記洗面台Ｓの洗面ボウルＢ等で確実に受け、床や壁等を濡らさないようにすることができるばかりでなく、特殊な水栓Ｔの設置工事を不要とすることができる。【選択図】図１
2011160884.tif 000002
【特許請求の範囲】
【請求項１】
電動送風機が収容された装置本体と、この装置本体に基端が接続された通風部と、この通風部の先端に接続された噴出部とを有する手乾燥装置において、
前記噴出部が、第一噴出口を有する第一噴出ノズルと、第二噴出口を有する第二噴出ノズルとを有し、これらの各噴出ノズルが間隔を置いて設けられると共に、これらの噴出ノズルが水栓を挟んで配されるように、前記噴出部が洗面台又は流し台に設置可能に構成されることを特徴とする手乾燥装置。
【請求項２】
前記各噴出口が、前記洗面台又は流し台の水栓の吐水口よりも後方で開口することを特徴とする請求項１記載の手乾燥装置。
【発明の詳細な説明】
【技術分野】
【０００１】
本考案は、風圧で水を吹き飛ばして乾燥させたり、温風で水を蒸発させたりする乾燥装置に関するものである。
【背景技術】
【０００２】
従来、この種の手乾燥装置としては、カラムの先端のヘッドに吐水口及び温風吹出口が設けられた水栓装置が知られている（例えば、特許文献１参照。）。そして、この水栓装置は、吐水口と温風吹出口が近接して設けられており、吐水スイッチや水量スイッチを操作して吐水口から水や湯を吐出させ、手等を洗った後、そのままの位置で手を温風で乾燥させることができるようになっている。また、乾燥装置本体と噴出口を空気供給管及び噴出管を介して接続し、これらの空気供給管及び噴出管を洗面ボウルの取付基体に取り付けた手乾燥装置も知られている（例えば、特許文献２参照）。そして、この手乾燥装置は、通常、洗面ボウルの端に設けられるため、水栓を用いて手を洗った後で、手を噴出口の近傍に移動させ、この噴出口の近傍で手を乾燥させるようになっている。
【先行技術文献】
【特許文献】
【０００３】
【特許文献１】特許第２６２９５０８号公報
【特許文献２】特開２００６−１９２２５０号公報
【発明の概要】
【発明が解決しようとする課題】
【０００４】
しかしながら、前者のような手乾燥装置は、吐出口の近傍から手を移動させずに手を乾燥させることができるばかりでなく、吹き飛ばされた水滴が洗面器から外れて飛散しないという長所があるものの、専用の水栓が必要になり、設置工事が必要になるという問題があった。また、後者のような手乾燥装置は、洗面ボウルの端に噴出ノズルが固定されることになるため、ジェット噴出された空気によって吹き飛ばされた水滴が洗面ボウルから外れて床や壁等を濡らす虞があった。
【０００５】
本発明は以上の問題点を解決し、簡易な構造でありながら、水滴を洗面ボウルやシンクで確実に受けることができる手乾燥装置を提供することを目的とする。
【課題を解決するための手段】
【０００６】
本発明の請求項１に記載の手乾燥装置は、電動送風機が収容された装置本体と、この装置本体に基端が接続された通風部と、この通風部の先端に接続された噴出部とを有する手乾燥装置において、前記噴出部が、第一噴出口を有する第一噴出ノズルと、第二噴出口を有する第二噴出ノズルとを有し、これらの各噴出ノズルが間隔を置いて設けられると共に、これらの噴出ノズルが水栓を挟んで配されるように、前記噴出部が洗面台又は流し台に設置可能に構成されるものである。
【０００７】
また、本発明の請求項２に記載の手乾燥装置は、請求項１において、前記各噴出口が、前記洗面台又は流し台の水栓の吐水口よりも後方で開口するものである。
【発明の効果】
【０００８】
本発明の請求項１に記載の手乾燥装置は、以上のように構成することにより、洗面台の洗面ボウルのほぼ中央又は流し台のシンクのほぼ中央に設けられた水栓を挟むように、各噴出ノズルが設けられることで、これらの噴出ノズルの噴出口も前記洗面ボウル又はシンクのほぼ中央に位置することになるので、前記各噴出口から噴出された気流によって吹き飛ばされた水滴を、前記洗面ボウルやシンクで確実に受け、床や壁等を濡らさないようにすることができる。また、前記洗面台や流し台に後付けできるので、特殊な水栓が不要となり、設置工事を不要とすることができる。
【０００９】
また、前記各噴出口を、前記洗面台又は流し台の水栓の吐水口よりも後方で開口させることにより、手洗い時等に前記噴出ノズルが邪魔にならないようにすることができる。
【図面の簡単な説明】
【００１０】
【図１】本発明の一実施形態を示す手乾燥装置の設置状態を示す斜視図である。
【図２】同、正面図である。
【図３】同、側面図である。
【図４】同、平面図である。
【図５】同、設置状態における噴出部近傍の拡大平面図である。
【図６】同、本体の概略説明図である。
【発明を実施するための形態】
【００１１】
以下、本発明の実施形態について、図１乃至図６に基づいて説明する。１は、手を乾燥させるための手乾燥装置である。この手乾燥装置１は、装置本体２と、この装置本体２に基端部が接続される通風部３と、この通風部３の先端部に接続される噴出部４とを有して構成される。
【００１２】
前記装置本体２の外殻体５の背面には、吸気口６が設けられる。そして、この吸気口６には、フィルタ７が着脱自在に設けられる。また、前記装置本体２の外殻体５の後上部には、排気口８が設けられる。そして、前記吸気口６と排気口８との間には、気流通路９が形成される。また、この気流通路９には、電動送風機１０が設けられる。更に、前記装置本体２の上面には、操作部１１が設けられる。
【００１３】
前記通風部３は、縦筒部１２と、ホース部１３と、横筒部１４と、屈曲部１５とを有する。前記縦筒部１２は、合成樹脂によって両端が開口した中空円筒状に構成される。そして、前記縦筒部１２は、その基端部が前記装置本体２の排気口８に接続される。一方、前記ホース部１３は、蛇腹ホースであり、屈曲自在に構成される。そして、前記ホース部１３は、その基端部が前記縦筒部１２の先端部に接続される。また、前記横筒部１４は、合成樹脂によって両端が開口した中空円筒状に構成される。そして、前記横筒部１４は、その基端部が前記ホース部１３の先端部に接続される。更に、前記屈曲部１５は、合成樹脂によって両端が開口した中空の屈曲円筒状に形成される。そして、前記屈曲部１５は、その基端部が前記横筒部１４の先端部に接続される。なお、前記屈曲部１５は、前記横筒部１４の中心軸線回りに回動可能な状態で、前記横筒部１４に接続される。
【００１４】
前記噴出部４は、前記屈曲部１５の先端に接続される接続部１６と、第一噴出口１７が設けられた第一噴出ノズル１８と、第二噴出口１９が設けられた第二噴出ノズル２０とを有する。前記各噴出ノズル１８，２０は、それぞれ前記接続部１６から分岐して設けられる。また、前記各噴出ノズル１８，２０は、それらの先端部同士が間隔Ｇを空けて設けられる。更に、前記第一噴出口１７の開口面積と前記第二噴出口１９の開口面積は、それらの和が前記通風部３の流通面積よりも小さく形成される。なお、前記噴出部４は、前記通風部３の屈曲部１５の先端における中心軸線回りに回動可能な状態で、前記屈曲部１５に接続される。また、前記各噴出ノズル１８，２０の長さは、一般的な蛇口Ｔの基端から水出口までの平面視の長さよりも短くなるように構成される。
【００１５】
更に、前記横筒部１４には、固定部２１が設けられる。この固定部２１は、筒状部２２と、支柱部２３と、吸盤支持部２４と、吸盤２５とを有して構成される。前記筒状部２２は、前記通風部３の横筒部１４とほぼ同軸となるように、この横筒部１４の外側を覆って設けられる。そして、前記筒状部２２は、前記横筒部１４の軸方向及び軸回りに動かすことができる状態で、前記横筒部１４に取り付けられる。また、前記支柱部２３は、その基端部が、前記筒状部２２に対し、玉継手機構を介して可動に取り付けられる。また、前記吸盤支持部２４は、前記支柱部２３の先端部に、玉継手機構を介して可動に取り付けられる。更に、前記吸盤２５は、前記吸盤支持部２４に取り付けられる。
【００１６】
なお、２６はリモートスイッチである。このリモートスイッチ２６は、前記装置本体２に対して有線接続される。そして、前記リモートスイッチ２６は、床上の任意の位置に置くことができる。なお、前記リモートスイッチ２６は、前記装置本体２に取り付けられないが、前記装置本体２の外殻体５の前部に設けられた凹所５Ａの前方に、邪魔にならないように置くことができる。
【００１７】
次に、本実施形態の作用について説明する。まず、使用者は、前記手乾燥装置１を、洗面台Ｓの横の床上に置く。この状態で、前記通風部３の縦筒部１２は、前記洗面台Ｓに沿ってほぼ直立する。そして、使用者は、前記通風部３の横筒部１４に対し、前記固定部２１を適切な位置に動かす。そして、使用者は、前記ホース部１３を屈曲させて前記横筒部１４を横向きの姿勢とする。また、使用者は、前記屈曲部１５を前記横筒部１４の軸回りに回動させたり、前記噴出部４を前記屈曲部１５の先端における中心軸線回りに回動させたりして、前記各噴出ノズル１８，２０の向きを調節する。また、使用者は、前記各噴出ノズル１８，２０が前記洗面台Ｓの蛇口Ｔを左右から挟むように、前記噴出部４を配置する。更に、使用者は、前記固定部２１の吸盤２５を前記洗面台Ｓの洗面ボウルＢに固定する。一般的に、前記洗面ボウルＢの表面は平滑なので、前記吸盤２５は、前記洗面ボウルＢに対し良好に固定される。このように、前記固定部２１の吸盤２５を前記洗面ボウルＢの表面に固定することによって、前記手乾燥装置１が設置されるので、特別な設置工事無しに前記手乾燥装置１を使用可能な状態とすることができる。
【００１８】
なお、前記洗面ボウルＢには、石鹸を置くための凹凸部が設けられていることがある。このような凹凸部には吸盤２５を固定することができないが、前述したように、前記固定部２１が前記横筒部１４に対し可動に設けられるので、このような凹凸部を避けるようにして、前記吸盤２５を前記洗面ボウルＢの平滑な部位に固定させることができる。また、前記洗面ボウルＢには、傾斜面が形成されていることがある。しかしながら、前述したように、前記筒状部２２が前記横筒部１４の軸回りに回動可能であると共に、前記筒状部２２と支柱部２３と吸盤支持部２４がそれぞれ玉継手機構を介して接続されるので、前記洗面ボウルＢの傾斜面に前記吸盤２５を固定して、前記横筒部１４，ひいてはこの横筒部１４に接続された前記屈曲部１５及び噴出部４を支持することができる。
【００１９】
そして、使用者は、前記洗面台Ｓの蛇口Ｔから流出する水Ｗで手を洗った後、前記装置本体２の上面に設けられた前記操作部１１を手で操作することで、或いは前記リモートスイッチ２６を足で操作することで、前記電動送風機１０を作動させる。このように、前記電動送風機１０が作動すると、前記装置本体２の背面に設けられた吸気口６から外気が吸引され、前記気流通路９を通って前記排気口８に送られる。そして、前記排気口８に送られた気流Ｆは、前記通風部３を通って、前記噴出部４の各噴出ノズル１８，２０の噴出口１７，１９から噴出される。この際、前記各噴出口１７，１９の開口面積の和が、前記通風部３の流通面積よりも小さいことで、前記各噴出口１７，１９から噴出される気流Ｆの流速は速くなる。そして、この速い流速の気流Ｆによって、手に付着した水Ｗを吹き飛ばし、手を乾燥させることができる。なお、手から吹き飛ばされた水Ｗは、前記洗面ボウルＢで受け止められる。また、前記吸気口６から吸引された気流Ｆに含まれる塵埃が、前記フィルタ７によって除去されるので、清浄な気流Ｆを手に吹き付けることができる。
【００２０】
なお、前述したように、前記各噴出ノズル１８，２０が前記洗面台Ｓの蛇口Ｔを左右から挟むように、前記噴出部４が配置されることで、この噴出部４の各噴出口１７，１９が前記蛇口Ｔの近傍、即ち、前記洗面ボウルＢのほぼ中央で開口する。従って、前記リモートスイッチ２６を足で操作する場合、手を洗った後で、止水動作以外に殆ど手を動かすことなく、手をそのままの位置で乾燥させることができる。また、前記噴出口１７，１９が前記洗面ボウルＢのほぼ中央で開口するので、吹き飛ばされた水Ｗを前記洗面ボウルＢで確実に受けることができる。従って、前記洗面台Ｓの近くの床や壁等が水Ｗで濡れないようにすることができる。また、前記各噴出ノズル１８，２０の長さを、一般的な蛇口Ｔの基端から水出口までの平面視の長さよりも短くしたことで、前記接続部１６が前記水栓Ｔに当接するように、前記噴出部４を最大限前方に配置したとしても、前記各噴出ノズル１８，２０の前端は、前記水栓Ｔの水出口よりも後方である。従って、水Ｗで手を洗う際に、前記各噴出ノズル１８，２０が邪魔にならないようにすることができる。また、前記各噴出ノズル１８，２０の先端に設けられた前記各噴出口１７，１９が、前記蛇口Ｔの水出口よりも後方で開口するので、前記噴出口１７，１９から水Ｗが侵入しにくくすることができる。更に、前記各噴出ノズル１８，２０が、適度な間隔Ｇを置いて設けられるので、使用者の両手を同時に良好に乾燥させることができる。
【００２１】
以上のように本発明は、電動送風機１０が収容された装置本体２と、この装置本体２に基端が接続された通風部３と、この通風部３の先端に接続された噴出部４とを有する手乾燥装置１であって、前記噴出部４に、間隔Ｇを置いて分岐させた第一噴出ノズル１８と第二噴出ノズル２０を設け、これらの噴出ノズル１８，２０が、洗面台Ｓの洗面ボウルＢ等のほぼ中央に設けられた水栓Ｔを左右から挟むように、前記噴出部４を前記洗面台Ｓ等に設置可能としたことにより、前記第一噴出ノズル１８の第一噴出口１７及び前記第二噴出ノズル２０の第二噴出口１９も前記洗面ボウルＢ等のほぼ中央に位置することになるので、前記各噴出口１７，１９から噴出された気流Ｆが吹き飛ばした水滴を、前記洗面ボウルＢ等で確実に受け、床や壁等を濡らさないようにすることができるばかりでなく、前記洗面台Ｓ等に後付けできるので、特殊な水栓Ｔが不要となり、設置工事を不要とすることができるものである。
【００２２】
また、本発明は、前記各噴出口１７，１９を、前記洗面台Ｓ等の水栓Ｔの吐水口よりも後方で開口させることにより、手洗い時等に前記噴出ノズル１８，２０が邪魔にならないようにすることができるものである。
【００２３】
なお、本発明は以上の実施形態に限定されるものではなく、発明の要旨の範囲内で種々の変形実施が可能である。例えば、上記実施形態では、噴出部を分岐させて二つの噴出ノズルを設けたが、一つの噴出ノズルを有する噴出部を、独立して二つ設けるようにしても良い。また、上記実施形態では、洗面台に取り付けられるものを示したが、台所等の流し台に取り付けられるようにしても良い。この場合、手ばかりでなく、洗った食器等の乾燥に用いることもできる。
【符号の説明】
【００２４】
１  手乾燥装置（乾燥装置）
２  装置本体
３  通風部
４  噴出部
１０  電動送風機
１７  第一噴出口
１８  第一噴出ノズル
１９  第二噴出口
２０  第二噴出ノズル
Ｇ  間隔
Ｓ  洗面台
Ｔ  蛇口
【図１】
2011160884.tif 000003
【図２】
2011160884.tif 000004
【図３】
2011160884.tif 000005
【図４】
2011160884.tif 000006
【図５】
2011160884.tif 000007
【図６】
2011160884.tif 000008